(57)【要約】【課題】  閲覧者の好みを判断して、その結果を利用した閲覧ページを作成することができる閲覧情報を提供すること。【解決手段】  クライアント装置の利用者がサーバ装置上て提供されている項目ごとに細分化された閲覧ページを閲覧するに際し、閲覧されている時間を計測し、閲覧項目ごとに集計し、閲覧項目ごとに閲覧時間の総計に従って新たな閲覧ページをリアルタイムおよび動的に作成し閲覧者に提供する。更に、予め決まった時間、もしくは予め決まった周期で閲覧時間の総計に従って閲覧ページを動的に作成し、閲覧者に提供する。更に、クライアント装置が固体識別が可能な携帯電話機などの装置の場合は、上記に加えて、閲覧時にその固体識別情報を取得し、動的に閲覧ページを作成し閲覧者に提供する。【選択図】  図１
2005135340.tif 000002
【特許請求の範囲】
【請求項１】
クライアント装置からの要求に応じて、項目ごとに細分化された複数の閲覧情報を複数項目提供するサーバ装置からなる閲覧情報システムにおいて、
前記サーバ装置は、閲覧要求ごとに時刻を計測し、前記項目ごとに閲覧時間を加算する閲覧時刻計測加算手段と、
項目ごとの閲覧時間の総計に従って閲覧情報の画面を作成する閲覧情報作成手段と、
を備えることを特徴とする閲覧時間を利用した閲覧情報提供システム。
【請求項２】
クライアント装置からの要求に応じて、項目ごとに細分化された複数の閲覧情報を複数項目提供するサーバ装置からなる閲覧情報システムにおいて、
前記サーバ装置は、閲覧要求ごとに閲覧情報名と時刻をロギング出力情報として出力するロギング手段と、
前記ロギング出力情報より、閲覧項目ごとに集計を行う閲覧時間集計手段と、
項目ごとの閲覧時間の総計に従って閲覧情報の画面を作成する閲覧情報作成手段と、
を備えることを特徴とする閲覧時間を利用した閲覧情報提供システム。
【請求項３】
クライアント装置と、クライアント装置からの要求に応じて、項目ごとに細分化された複数の閲覧情報を複数項目提供するサーバ装置からなる閲覧情報提供システムにおいて、
前記クライアント装置は、前記クライアント装置自体の固体識別情報を備え、
前記サーバ装置は、閲覧要求ごとに閲覧を行った固体識別情報を特定し機種ごとに分類する固体識別情報特定手段と、
閲覧要求ごとに閲覧を行った時刻を計測し、閲覧情報の閲覧時間を算出する閲覧時間算出手段と、
前記項目ごとおよび機種ごとに、算出された閲覧時間を加算する閲覧時間機種別加算手段と、
項目ごとおよび機種ごとの閲覧時間の総計に従って閲覧情報の画面を作成する閲覧情報作成手段と、
を備えることを特徴とする閲覧時間を利用した閲覧情報提供システム。
【請求項４】
クライアント装置からの要求に応じて、項目ごとに細分化された複数の閲覧情報を複数項目提供するサーバ装置における閲覧情報の提供方法であって、
前記クライアント装置からの閲覧要求ごとに、閲覧開始時刻と終了時刻を計測し、前記閲覧情報が属する項目ごとに設ける総閲覧時間に、計測した閲覧時間を加算する閲覧時刻計測加算手順と、
前記クライアント装置の閲覧要求ごとに、前記閲覧情報の属する項目ごとの前記総閲覧時間に従って閲覧情報を作成する閲覧情報作成手順と、
を含んだことを特徴とする閲覧時間を利用した閲覧情報提供方法。
【請求項５】
クライアント装置からの要求に応じて、項目ごとに細分化された複数の閲覧情報を複数項目提供するサーバ装置における閲覧情報の提供方法であって、
前記クライアント装置からの閲覧要求ごとに、閲覧情報名と時刻をロギング出力情報として出力するロギング手順と、
前記ロギング出力情報より閲覧項目ごとに集計を行う閲覧時間集計手順と、
前記閲覧項目ごとに集計された閲覧時間の総計に従って閲覧情報の画面を作成する閲覧情報作成手順と、
を含んだことを特徴とする閲覧時間を利用した閲覧情報提供方法。
【請求項６】
クライアント装置からの要求に応じて、項目ごとに細分化された複数の閲覧情報を複数項目提供する閲覧情報の提供方法であって、
前記クライアント装置からの閲覧要求ごとに閲覧を行った固体識別情報を特定し機種ごとに分類する固体識別情報特定手順と、
前記閲覧要求ごとに閲覧を行った時刻を計測し、閲覧情報の閲覧時間を算出する閲覧時間算出手順と、
前記項目ごとおよび機種ごとに、算出された閲覧時間を加算する閲覧時間機種別加算手順と、
項目ごとおよび機種ごとの閲覧時間の総計に従って閲覧情報の画面を作成する閲覧情報作成手順と、
を含んだことを特徴とする閲覧時間を利用した閲覧情報提供方法。
【請求項７】
クライアント装置からの要求に応じて、項目毎の細分化された複数の閲覧情報を複数項目提供するサーバ装置における閲覧情報の提供プログラムであって、
前記クライアント装置からの閲覧要求ごとに、閲覧開始時刻と終了時刻を計測し、前記閲覧情報が属する項目ごとに設ける総閲覧時間に、計測した閲覧時間を加算する閲覧時刻計測加算機能と、
前記クライアント装置の閲覧要求ごとに、前記閲覧情報の属する項目ごとの前記総閲覧時間に従って閲覧情報を作成する閲覧情報作成機能と、
を有することを特徴とする閲覧時間を利用した閲覧情報提供プログラム。
【請求項８】
クライアント装置からの要求に応じて、項目毎の細分化された複数の閲覧情報を複数項目提供するサーバ装置における閲覧情報の提供プログラムであって、
前記クライアント装置からの閲覧要求ごとに、閲覧情報名と時刻をロギング出力情報として出力するロギング機能と、
前記ロギング出力情報より閲覧項目ごとに集計を行う閲覧時間集計機能と、
前記閲覧項目ごとに集計された閲覧時間の総計に従って閲覧情報の画面を作成する閲覧情報作成機能と、
を有することを特徴とする閲覧時間を利用した閲覧情報提供プログラム。
【請求項９】
クライアント装置からの要求に応じて、項目ごとに細分化された複数の閲覧情報を複数項目提供する閲覧情報の提供プログラムであって、
前記クライアント装置からの閲覧要求ごとに閲覧を行った固体識別情報を特定し機種ごとに分類する固体識別情報特定機能と、
前記閲覧要求ごとに閲覧を行った時刻を計測し、閲覧情報の閲覧時間を算出する閲覧時間算出機能と、
前記項目ごとおよび機種ごとに、算出された閲覧時間を加算する閲覧時間機種別加算機能と、
項目ごとおよび機種ごとの閲覧時間の総計に従って閲覧情報の画面を作成する閲覧情報作成機能と、
を有することを特徴とする閲覧時間を利用した閲覧情報提供プログラム。
【発明の詳細な説明】
【技術分野】
【０００１】
本発明は、インターネット上に開設されているＷＥＢページの閲覧情報の閲覧時間を利用した動的な表示技術に関し、たとえば閲覧時間を利用した閲覧情報提供システム、閲覧情報提供方法および閲覧情報提供プログラムに関する。
【背景技術】
【０００２】
昨今、インターネットが急速な勢いで発展しおり、日本国内だけではなく世界各地に設置され、アクセス可能なサーバ装置上にあらゆる分野のサイトが構築され、ＷＥＢ上に公開されている。利用者は、パソコンや携帯電話機などの通信端末を使用して、電話回線や専用線から通信ネットワークを介してインターネットにアクセスし、サーバ装置内のＷＥＢページを閲覧する。
【０００３】
従来、ＷＥＢサイトは、ＷＥＢブラウザによって閲覧可能な言語（ＨＴＭＬ 、ＸＭＬ、ｃＨＴＭＬなど）で記述された文章ファイルと文書や画像などのファイルを階層型ディレクトリ内に格納することで構築されている。またサーバ装置のアドレス情報と、その階層型ディレクトリの格納位置とその文書ファイル名で唯一のＵＲＬを決めることができる。
【０００４】
また、通常ＷＥＢサイトでは、ある項目ごとに様々な画像や説明を行ったり、更に内容を深く掘り下げて行ったりしている。（例えば、アーティストの紹介サイトなどで、アイドル名を複数取り上げて色々な紹介、説明などを事細かに行ったりしている）加えて、そのようなＷＥＢサイトでは、取り上げている項目の人気のランキング情報をＷＥＢ上で表示させたりしている。たとえば、音楽の場合などでは、歌手Ａ、Ｂ、Ｃなどに関するＵＲＬのクリック回数の統計を取り、クリック総数より人気度として順番を付けるなどがある。
【０００５】
従来、動的にＷＥＢ画面の文章ファイル作成するという技術が提案されている（特許文献１）。このようなクリック回数の総数のみでランキングを決定する従来の方法では、真の人気度を表しているとは言えず、より閲覧者である人間の習性を利用したランキングの付け方が求められていた。例えば、閲覧者にとって興味をそそる言葉を用いていればその内容に興味があるかどうかに関わらず閲覧者はクリックしてしまう可能性が高い。
【０００６】
よって、閲覧している内容によって閲覧者の興味をより正確に示す指標が求められていた。更に前記閲覧者の興味をより正確に示す指標に従ってＷＥＢ画面を表示する技術が求められていた。
【特許文献１】特開２００１−１７５５６６
【発明の開示】
【発明が解決しようとする課題】
【０００７】
本発明は以上のような従来の欠点に鑑みてなされたものであり、その目的とするところを以下に述べる。
（１）１画面の閲覧時間が長いということは、閲覧者が興味を持って閲覧しているという閲覧者である人間の習性を利用してＷＥＢページを作成することが出来るようなシステム、方法およびプログラムを提供する。
（２）携帯電話機のように固体識別情報が得られるクライアント装置の場合は、固体識別情報を取得してその機種を特定することで機種ごとにＷＥＢページを作成するもしくは機種ごとのランキングデータなどを作成してそのデータを元にしてＷＥＢページを作成することができるようなシステム、方法およびプログラムを提供する。
【課題を解決するための手段】
【０００８】
上記目的を達成するために、第１発明に係る閲覧時間を利用した閲覧情報提供システムは、クライアント装置からの要求に応じて、項目ごとに細分化された複数の閲覧情報を複数項目提供するサーバ装置からなる閲覧情報システムにおいて、前記サーバ装置は、閲覧要求ごとに時刻を計測し、前記項目ごとに閲覧時間を加算する閲覧時刻計測加算手段と、項目ごとの閲覧時間の総計に従って閲覧情報の画面を作成する閲覧情報作成手段を備えるように構成する。
【０００９】
第２発明に係る閲覧時間を利用した閲覧情報提供システムは、クライアント装置からの要求に応じて、項目ごとに細分化された複数の閲覧情報を複数項目提供するサーバ装置からなる閲覧情報システムにおいて、前記サーバ装置は、閲覧要求ごとに閲覧情報名と時刻をロギング出力情報として出力するロギング手段と、前記ロギング出力情報より、閲覧項目ごとに集計を行う閲覧時間集計手段と、項目ごとの閲覧時間の総計に従って閲覧情報の画面を作成する閲覧情報作成手段を備えるように構成する。
【００１０】
第３発明に係る閲覧時間を利用した閲覧情報提供システムは、クライアント装置と、クライアント装置からの要求に応じて、項目ごとに細分化された複数の閲覧情報を複数項目提供するサーバ装置からなる閲覧情報提供システムにおいて、前記クライアント装置は、前記クライアント装置自体の固体識別情報を備え、前記サーバ装置は、閲覧要求ごとに閲覧を行った固体識別情報を特定し機種ごとに分類する固体識別情報特定手段と、閲覧要求ごとに閲覧を行った時刻を計測し、閲覧情報の閲覧時間を算出する閲覧時間算出手段と、前記項目ごとおよび機種ごとに、算出された閲覧時間を加算する閲覧時間機種別加算手段と、項目ごとおよび機種ごとの閲覧時間の総計に従って閲覧情報の画面を作成する閲覧情報作成手段を備えるように構成する。
【００１１】
第４発明に係る閲覧情報提供方法は、クライアント装置からの要求に応じて、項目ごとに細分化された複数の閲覧情報を複数項目提供するサーバ装置における閲覧情報の提供方法であって、前記クライアント装置からの閲覧要求ごとに、閲覧開始時刻と終了時刻を計測し、前記閲覧情報が属する項目ごとに設ける総閲覧時間に、計測した閲覧時間を加算する閲覧時刻計測加算手順と、前記クライアント装置の閲覧要求ごとに、前記閲覧情報の属する項目ごとの前記総閲覧時間に従って閲覧情報を作成する閲覧情報作成手順を含むように構成する。
【００１２】
第５発明に係る閲覧情報提供方法は、クライアント装置からの要求に応じて、項目ごとに細分化された複数の閲覧情報を複数項目提供するサーバ装置における閲覧情報の提供方法であって、前記クライアント装置からの閲覧要求ごとに、閲覧情報名と時刻をロギング出力情報として出力するロギング手順と、前記ロギング出力情報より閲覧項目ごとに集計を行う閲覧時間集計手順と、前記閲覧項目ごとに集計された閲覧時間の総計に従って閲覧情報の画面を作成する閲覧情報作成手順を含むように構成する。
【００１３】
第６発明に係る閲覧情報提供方法は、クライアント装置からの要求に応じて、項目ごとに細分化された複数の閲覧情報を複数項目提供する閲覧情報の提供方法であって、前記クライアント装置からの閲覧要求ごとに閲覧を行った固体識別情報を特定し機種ごとに分類する固体識別情報特定手順と、前記閲覧要求ごとに閲覧を行った時刻を計測し、閲覧情報の閲覧時間を算出する閲覧時間算出手順と、前記項目ごとおよび機種ごとに、算出された閲覧時間を加算する閲覧時間機種別加算手順と、項目ごとおよび機種ごとの閲覧時間の総計に従って閲覧情報の画面を作成する閲覧情報作成手順を含むように構成する。
【００１４】
第７発明に係る閲覧情報提供プログラムは、クライアント装置からの要求に応じて、項目毎の細分化された複数の閲覧情報を複数項目提供するサーバ装置における閲覧情報の提供プログラムであって、前記クライアント装置からの閲覧要求ごとに、閲覧開始時刻と終了時刻を計測し、前記閲覧情報が属する項目ごとに設ける総閲覧時間に、計測した閲覧時間を加算する閲覧時刻計測加算機能と、前記クライアント装置の閲覧要求ごとに、前記閲覧情報の属する項目ごとの前記総閲覧時間に従って閲覧情報を作成する閲覧情報作成機能を有するように構成する。
【００１５】
第８発明に係る閲覧情報提供プログラムは、クライアント装置からの要求に応じて、項目毎の細分化された複数の閲覧情報を複数項目提供するサーバ装置における閲覧情報の提供プログラムであって、前記クライアント装置からの閲覧要求ごとに、閲覧情報名と時刻をロギング出力情報として出力するロギング機能と、前記ロギング出力情報より閲覧項目ごとに集計を行う閲覧時間集計機能と、前記閲覧項目ごとに集計された閲覧時間の総計に従って閲覧情報の画面を作成する閲覧情報作成機能を有するように構成する。
【００１６】
第９発明に係る閲覧情報提供プログラムは、クライアント装置からの要求に応じて、項目ごとに細分化された複数の閲覧情報を複数項目提供する閲覧情報の提供プログラムであって、前記クライアント装置からの閲覧要求ごとに閲覧を行った固体識別情報を特定し機種ごとに分類する固体識別情報特定機能と、前記閲覧要求ごとに閲覧を行った時刻を計測し、閲覧情報の閲覧時間を算出する閲覧時間算出機能と、前記項目ごとおよび機種ごとに、算出された閲覧時間を加算する閲覧時間機種別加算機能と、項目ごとおよび機種ごとの閲覧時間の総計に従って閲覧情報の画面を作成する閲覧情報作成機能を有するように構成する。
【発明の効果】
【００１７】
以上の説明から明らかなように、本発明にあっては次に列挙する効果が得られる。
（１）クライアント装置と、クライアント装置からの要求に応じて、項目ごとに細分化された複数の閲覧情報を複数項目提供するサーバ装置からなる閲覧情報提供システムにおいて、閲覧回数だけではなく、閲覧時間という閲覧者の興味に合わせた閲覧情報のランキングをリアルタイムにもしくは定期的に算出し、その情報を元に新たなＷＥＢページを作成できる。
（２）更にランキング情報の場合、自動的に上位の閲覧情報項目から並べ替えることができることから、閲覧情報の統計を取った上で閲覧情報の画面構成の書き換えを随時行うといった従来の方法よりも閲覧情報の画面構成などの開発の方針を容易に決定することができる。
（３）上記（２）に加え、自動的に並べ替えが可能であるので、閲覧情報の項目とその詳細内容のみを作成して置き、本閲覧情報提供システムに登録するだけで、画面情報の開発が省略できる。
【発明を実施するための最良の形態】
【００１８】
以下に本発明を実施するための最良の形態の一例について図面を用いて詳細に説明する。先ず、本発明の全体構成について図１を用いて説明する。図１は本発明における閲覧情報提供視システムのシステム構成図である。図中１１は携帯電話機およびパソコンなどの通信端末であるクライアント装置であり、１３は本発明の閲覧情報提供システムを実現するサーバ装置であり、２３はインターネットである。
【００１９】
閲覧情報提供システムのサーバ装置１３はネットワーク上に開設されており、クライアント装置１１からアクセス可能な構成となっている。通常はサーバ装置のＵＲＬをＷＥＢブラウザで指定することでアクセスできる。クライアント装置１１は通常は有線もしくは無線の通信ネットワークを利用して通信回線特有の通信プロトコルを使用してネットワークに接続する。
【００２０】
図２は、本発明におけるクライアント装置のブロック図を示している。クライアント装置１１のブロック図を図２に示す。クライアント装置１１は、中央制御装置であるＣＰＵ２０１、前記通信プロトコルを使用してネットワークとのリンクの通信制御を行う通信制御部２０３、利用者に様々な情報を伝える表示部２０５、クライアント装置１１に指示を与えるテンキー、機能キーやキーボードなど入力キー２０７および携帯電話機の場合は固体識別情報２１１などを備えているメモリ２０９からなる。
【００２１】
図３、図４、図５および図６は、本発明におけるサーバ装置のブロック部である。サーバ装置１３は中央制御装置であるＣＰＵ３０１、通信プロトコルを使用してネットワークに接続しリンクの通信制御を行う通信制御部３０３、サーバ機能のみを使用している場合は使われないことが多いが、サーバ装置と管理者とのインタフェースである表示部３０５、同じく入力キー３０７、メモリ３１１および各機能を有する各種の手段から構成されている。また、図７は本発明を利用したリアルタイムに動的にランキングが表示される音楽情報閲覧ページの閲覧画面例である。図８は、前記音楽情報閲覧ページのサーバ装置１３上の閲覧情報ファイルのディレクトリ構成を示している。図９、図１０および図１１は本発明の閲覧情報提供システムの処理シーケンスおよび動作フローである。図１２は閲覧情報作成手順の手順を示す図である。
【００２２】
サーバ装置１３内の各手段は、閲覧時刻計測加算手段３１３、閲覧情報作成手段３１５、ロギング手段３１７、閲覧時間集計手段３１９、固体識別情報特定手段３２１、閲覧時間算出手段３２３、閲覧時間機種別加算手段３２５などから構成される。以下に各手段についてそれぞれ図などを用いて説明する。閲覧時刻計測加算手段３１３は、クライアント装置１１からの本閲覧情報提供システムへのアクセスに際してその閲覧要求ごとにアクセスした時刻を計測し、図８に例を示す項目ごとに閲覧時間を加算する機能を有する。
【００２３】
閲覧情報作成手段３１５は、各項目毎の閲覧時間総計を判断して閲覧時間総計がトップであるものをＷＥＢページの一番上に位置させるなどのように新たに閲覧情報を作成する機能を有する。ロギング手段３１７は閲覧要求ごとに、閲覧要求のあった閲覧情報名と時刻を出力する。出力する先はローカルなファイル、リモート先もしくはシリアル回線であったりすることが可能である。
【００２４】
閲覧時時間集計手段３１９は、定期的もしくはオンデマンドで、ロギング手段３１７が出力したログ情報から閲覧情報の項目に従って項目対応の閲覧時間を集計を行い、例えば項目対応の一時的な集計エリアなどに集計する機能を有する。固体識別情報特定手段３２１は、閲覧要求を行っているクライアント装置１１が携帯電話機のように固体を識別できる情報を有していて、ＷＥＢページとしてその情報が取得可能な場合に有効ではある。固体識別情報特性手段３２１は、前記クライアント装置１１がアクセスした際に固体識別情報を取得する機能を有している。
【００２５】
閲覧時間算出手段３２３は、固体識別情報を有するクライアント装置１１がアクセスしたときに機能する手段であり、閲覧時間を算出する機能を有する。閲覧時間機種別加算手段３２５も閲覧時間算出手段３２３と同様に固体識別情報を有するクライアント装置１１からアクセスがあった時に機能するものであり、取得された固体識別情報より機種を特定し、それらの機種ごとに閲覧時間を加算する機能を有する。
【００２６】
サーバ装置１３のメモリ内には以下の各手順が備えられている。閲覧時刻計測加算手順３２７、閲覧情報作成手順３３１、ロギング手順３３３、閲覧時間集計手順３３５、固体識別情報特定手順３３７、閲覧時間算出手順３３９、閲覧時間機種別加算手順３４１である。以上の各手順はその機能としては前述した同名の各手段と同じ機能を有するプログラムにて構成することもできる。本発明は、サーバ装置というコンピュータ上でハードウェアを使用して動作するプログラムで実現することが可能である。よって本実施形態では手段／手順について説明をするが、その手順を実現する機能を有するプログラムと読み替えが可能である。
【００２７】
ＷＥＢページ内のコンテンツの構成を、歌手Ａ，Ｂ，Ｃの紹介サイトを例として図８に示す。コンテンツの内部はディレクトリ構造をしており、この場合歌手Ａに関する内容として内容１のツリー構造の全てを項目１とし、同様に歌手Ｂに関する内容２のツリー構造の全てを項目２とする。歌手Ｃも同様である。このようにサーバ装置１３内の閲覧情報は項目ごとに細分化されており、利用者の閲覧要求により閲覧情報提供システムは様々な閲覧情報を提供する。
【００２８】
次に、本発明の閲覧情報提供システムの動作について図７〜図１６を用いて説明する。この実施形態においては、クライアント装置１１として携帯電話機を使用して説明する。クライアント装置１１がパソコンやＰＤＡなどの通信端末であってもシステムトしての動作は同様である。
【００２９】
第１および第３発明を図７〜図９および図１２〜図１６を用いて説明する。図９は第１および第２発明の閲覧情報提供システムの動作を処理シーケンス、動作フローを用いて説明している。クライアント装置１１である携帯電話機から本発明の閲覧情報提供サイトのサーバ装置１３にアクセスする。サーバ装置１３は閲覧情報の各項目を列挙した閲覧画面を送信する（ｓｂ１１）。例えば、図７に示すように歌手Ａ，Ｂ，Ｃの画面が表示される。ＷＥＢページの閲覧情報の構成は図８のようにディレクトリ構造となっている。
【００３０】
利用者は歌手Ａ，Ｂ，Ｃのどれかをクリックする（ｓａ１３）。クリックされた情報はサーバ装置１３に通信プロトコルを経由して通知される。サーバ装置１３は通知された情報をパラメータとして閲覧時刻計測加算手段３１３もしくは閲覧時刻計測加算手順３２７を起動する（ｓｂ１３）。閲覧時刻計測加算手段３１３もしくは閲覧時刻計測加算手順３２７は閲覧時刻を取得して（ｓ１７）、その項目の閲覧が開始されたのか閲覧が終了したのかを判断し（ｓ１９）、閲覧開始の場合は指定された閲覧項目の閲覧開始時刻を記憶する（ｓ２１）。その項目の閲覧が終了した場合は、既に記憶している閲覧開始時刻と閲覧終了時刻を比較し閲覧時間を計算し（ｓ２３）、指定された閲覧項目に閲覧時間を加算する（ｓ２５）。
【００３１】
次にサーバ装置１３は閲覧情報作成手段３１５もしくは閲覧情報作成手順３３１を起動する（ｓｂ１５）。閲覧情報作成手段３１５もしくは閲覧情報作成手順３３１は各閲覧項目の閲覧時間を取得し（ｓ１１）、各閲覧項目を閲覧順位順に並べ替える（ｓ１３）などの閲覧情報（閲覧画面）の作成を行う（ｓ１５）。それからサーバ装置１３は作成された閲覧情報をクライアント装置１１に送信する（ｓａ１３）。クライアント装置１１はサーバ装置１３が作成した画面情報を表示部２０５に表示し、利用者の閲覧後のボタンクリックを待つことになる。その後利用者がボタンクリックを行ったとき（ｓａ１３）再度そのクリック情報がサーバ装置１３に送信される。サーバ装置１３では本サイトから抜けたかどうかを判断し（ｓｂ１７）、抜けた場合は本処理は終了し（ｓｂ２３）、抜けていない場合は抜けるまで今までの処理を継続して行うことになる。
【００３２】
次に、第２および第４発明を図７、図８、図１０および図１２〜図１４を用いて説明する。この実施形態においても、第１発明および第３発明と同様にクライアント装置１１として携帯電話機を使用して説明する。クライアント装置１１がパソコンやＰＤＡなどの通信端末であってもシステムトしての動作は同様である。但し、固体識別情報を取得できないクライアント装置１１の場合は固体識別情報に関する記述は当てはまらない。
【００３３】
第２および第４発明を図７、図８、図１０および図１２〜図１４を用いて説明する。図１０は第２および第４発明の閲覧情報提供システムの動作を処理シーケンス、動作フローを用いて説明している。クライアント装置１１である携帯電話機から本発明の閲覧情報提供サイトのサーバ装置１３にアクセスする（ｓａ３１）。サーバ装置１３は閲覧情報の各項目を列挙した閲覧画面を送信する（ｓｂ３１）。画面情報は前記第１発明および第３発明と同様に図７のようであり、閲覧情報は図８のようなディレクトリ構造になっている。
【００３４】
利用者は歌手Ａ，Ｂ，Ｃのどれかをクリックする（ｓａ３３）。クリックされた情報はサーバ装置１３に通信プロトコルを経由して通知される。サーバ装置１３は通知された情報をパラメータとしてロギング手段３１７もしくはロギング手順３３３を起動する（ｓｂ３３）。ロギング手段３１７もしくはロギング手順３３３は閲覧項目、閲覧時刻、閲覧されている項目および取得できる場合はクライアント装置１１の固体識別情報を取得し（ｓ２７）、ログ出力を行う（ｓ２９）。
【００３５】
次にサーバ装置１３は閲覧時間集計手段３１９もしくは閲覧時間集計手順３３５を起動する（ｓｂ３５）。但し、この起動は周期的であっても良い（よって図１０では括弧書きしている）。閲覧時間集計手段３１９もしくは閲覧時間集計手順３３５は出力されたロギング情報から各閲覧項目ごとに閲覧時間を集計する（ｓ３１）。それからサーバ装置１３は、閲覧情報作成手段３１５もしくは閲覧情報作成手順３３１を起動する（ｓｂ３７）。
【００３６】
閲覧情報作成手段３１５もしくは閲覧情報作成手順３３１は各閲覧項目の閲覧時間を取得し（ｓ１１）、各閲覧項目を閲覧順位順に並べ替える（ｓ１３）などの閲覧情報（閲覧画面）の作成を行う（ｓ１５）。それからサーバ装置１３は作成された閲覧情報をクライアント装置１１に送信する（ｓｂ３９）。クライアント装置１１はサーバ装置１３が作成した画面情報を表示部２０５に表示し、利用者の閲覧後のボタンクリックを待つことになる。
【００３７】
その後利用者がボタンクリックを行ったとき（ｓａ３５）再度そのクリック情報がサーバ装置１３に送信される。サーバ装置１３では本サイトから抜けたかどうかを判断し（ｓｂ４１）、抜けた場合は本処理は終了し（ｓｂ４５）、抜けていない場合は抜けるまで今までの処理を継続して行うことになる。
【００３８】
第５および第６発明を図７〜図９および図１２〜図１６を用いて説明する。図１１は第５および第６発明の閲覧情報提供システムの動作を処理シーケンス、動作フローを用いて説明している。クライアント装置１１である携帯電話機から本発明の閲覧情報提供サイトのサーバ装置１３にアクセスする。サーバ装置１３は固体識別情報特定手段３２１もしくは固体識別情報特定手順３３７を起動する（ｓｂ５１）。
【００３９】
固体識別情報特定手段３２１もしくは固体識別情報特定手順３３７は、アクセスしてきたクライアント装置１１の固体識別情報を取得し、（ｓ３３）、取得した固体識別情報を出力する（ｓ３５）。それからサーバ装置１３は閲覧情報の各項目を列挙した閲覧画面を送信する（ｓｂ５３）。例えば、図７に示すように歌手Ａ，Ｂ，Ｃの画面が表示される。ＷＥＢページの閲覧情報の構成は図８のようにディレクトリ構造となっている。
【００４０】
利用者は歌手Ａ，Ｂ，Ｃのどれかをクリックする（ｓａ１３）。クリックされた情報はサーバ装置１３に通信プロトコルを経由して通知される。サーバ装置１３はアクセスしてきたクライアント装置１１の固体識別情報も含めて通知された情報をパラメータとして閲覧時間算出手段３２３もしくは閲覧時間算出手順３３９を起動する（ｓｂ１３）。閲覧時間算出手段３２３もしくは閲覧時間算出手順３３９は閲覧時間を計測し算出する（ｓ３７）。
【００４１】
次にサーバ装置１３は閲覧時間機種別加算手段３２５もしくは閲覧時間機種別加算手順３４１を起動する（ｓｂ５７）。閲覧時間機種別加算手段３２５もしくは閲覧時間機種別加算手順３４１は、算出された閲覧時間を機種ごとに加算する（ｓ３９）。
【００４２】
次にサーバ装置１３は閲覧情報作成手段３１５もしくは閲覧情報作成手順３３１を起動する（ｓｂ５９）。閲覧情報作成手段３１５もしくは閲覧情報作成手順３３１は各閲覧項目の閲覧時間を取得し（ｓ１１）、各閲覧項目を閲覧順位順に並べ替える（ｓ１３）などの閲覧情報（閲覧画面）の作成を行う（ｓ１５）。それからサーバ装置１３は作成された閲覧情報をクライアント装置１１に送信する（ｓｂ６１）。
【００４３】
クライアント装置１１はサーバ装置１３が作成した画面情報を表示部２０５に表示し、利用者の閲覧後のボタンクリックを待つことになる。その後利用者がボタンクリックを行ったとき（ｓａ５５）再度そのクリック情報がサーバ装置１３に送信される。サーバ装置１３では本サイトから抜けたかどうかを判断し（ｓｂ６３）、抜けた場合は本処理は終了し（ｓｂ６７）、抜けていない場合は抜けるまで今までの処理を継続して行うことになる。
【００４４】
なお、第５発明において、閲覧時間算出手段３２３と閲覧時間機種別加算手段３２５が第１および第２発明における閲覧時刻計測加算手段３１３で行われても良い。同様に、第６発明において、閲覧時間算出手順３３９と閲覧時間機種別加算手順３４１が、第３発明における閲覧時刻計測加算手順３２７で行われても良い。
【産業上の利用可能性】
【００４５】
本発明は、クライアント装置からの要求に応じて、項目ごとに細分化された複数の閲覧情報を複数項目提供するサーバ装置をから構成される閲覧情報提供システムで利用可能である
【図面の簡単な説明】
【００４６】
【図１】本発明の閲覧情報システムのシステム構成図である。
【図２】本発明のクライアント装置のブロック図である。
【図３】本発明のサーバ装置のブロック図である。
【図４】本発明のサーバ装置のブロック図である。
【図５】本発明のサーバ装置のブロック図である。
【図６】本発明のサーバ装置のブロック図である。
【図７】本発明のクライアント装置の閲覧画面である。
【図８】ＷＥＢコンテンツのディレクトリー構造を示す図である。
【図９】第１もおよび第２発明の閲覧情報提供システムの処理シーケンスおよび動作フローである。
【図１０】第３および第４発明の閲覧情報提供システムの処理シーケンスおよび動作フローである。
【図１１】第５および第６発明の閲覧情報提供システムの処理シーケンスおよび動作フローである。
【図１２】サーバ装置内の各手順の動作フロー図である。
【図１３】サーバ装置内の各手順の動作フロー図である。
【図１４】サーバ装置内の各手順の動作フロー図である。
【図１５】サーバ装置内の各手順の動作フロー図である。
【図１６】サーバ装置内の各手順の動作フロー図である。
【符号の説明】
【００４７】
１１    クライアント装置
１３    サーバ装置
２３    インターネット
２１１  固体識別情報
３１３  閲覧時刻計測加算手段
３１５  閲覧情報作成手段
３１７  ロギング手段
３１９  閲覧時間集計手段
３２１  固体識別情報特定手段
３２３  閲覧時間算出手段
３２５  閲覧時間機種別加算手段
３２７  閲覧時刻計測加算手順
３３１  閲覧情報作成手順
３３３  ロギング手順
３３５  閲覧時間集計手順
３３７  固体識別情報特定手順
３３９  閲覧時間算出手順
３４１  閲覧時間機種別加算手順
【図１】
2005135340.tif 000003
【図２】
2005135340.tif 000004
【図３】
2005135340.tif 000005
【図４】
2005135340.tif 000006
【図５】
2005135340.tif 000007
【図６】
2005135340.tif 000008
【図７】
2005135340.tif 000009
【図８】
2005135340.tif 000010
【図９】
2005135340.tif 000011
【図１０】
2005135340.tif 000012
【図１１】
2005135340.tif 000013
【図１２】
2005135340.tif 000014
【図１３】
2005135340.tif 000015
【図１４】
2005135340.tif 000016
【図１５】
2005135340.tif 000017
【図１６】
2005135340.tif 000018